(57)【特許請求の範囲】
【請求項１】
一対のリード線を有する光源と；
光源を挿入せしめる光源挿入孔、光源の給電用の一対のリード線を各々挿通せしめる一対のリード線挿通孔およびリード線挿通孔に連通して外部に開口する異形の一対の開口部を形成したホルダと；
光源の点灯回路およびこの点灯回路に各々電気的に接続されて、ホルダの各開口部からリード線挿通孔内に嵌入されたときに各リード線に電気的に接続される異形の一対の端子を形成してなる点灯回路基板と；
を具備していることを特徴とする光源装置。
【請求項２】
ホルダの一対の開口部は、その形状が非対称に形成されていることを特徴とする請求項１記載の光源装置。
【請求項３】
ホルダには、リード線挿通孔に各リード線を接触係止する係止部が形成されていることを特徴とする請求項１または２記載の光源装置。
【請求項４】
請求項１ないし３のいずれか一記載の光源装置と；
光源装置により照明される表示部と；
光源装置および表示部を収容する装置本体と；
を具備していることを特徴とする表示装置。
【発明の詳細な説明】
【０００１】
【発明の属する技術分野】
本発明は車載用メータや警告灯等を照明するランプに好適な光源装置および表示装置に関する。
【０００２】
【従来の技術】
従来、車載用メータや警告灯等の照明装置の一例としては例えば実公昭５７−４８２８１号公報に記載されたものが知られている。
【０００３】
この照明装置は合成樹脂等からなるホルダーに、小形の無口金電球を装着したものであるが、この無口金電球が白熱ランプであるために寿命や輝度、温度等で種々問題があり、メンテナンスフリー化を実現し難いという課題がある。
【０００４】
そこで、この白熱ランプを、光源として長寿命かつ高輝度で耐寒・耐熱性等にも優れた発光ダイオード（以下ＬＥＤという）に置換して、メンテナンスフリー化を図ることが考えられる。
【０００５】
【発明が解決しようとする課題】
しかしながら、ＬＥＤには極性があるにも拘らず、このような従来の照明装置では、極性の無い白熱ランプを光源としているので、光源の極性を考慮した構成にはなっていない。このために、このような従来の照明装置に、ＬＥＤを組み付ける場合には、このＬＥＤを点灯回路基板に極性を誤まって組み付けてしまう誤組み付けが発生する虞れがある。
【０００６】
また、無口金電球をホルダの挿入孔に挿入して、接着剤により固定しているので、接着剤が乾燥固化するまでの時間がかかり、組み付けに時間がかかるうえに、その接着剤の乾燥固化の前に電球が傾いたり、位置がずれて固定される等組立精度が必ずしも高くないという課題がある。
【０００７】
本発明はこのような事情を考慮してなされたもので、その目的は、光源の極性を誤まって組み付ける誤組み付けを防止する一方、組立て時間の短縮と組立て精度の向上とを共に図ることができる光源装置および表示装置を提供することにある。
【０００８】
【課題を解決するための手段】
請求項１の発明に係る光源装置は、一対のリード線を有する光源と；光源を挿入せしめる光源挿入孔、光源の給電用の一対のリード線を各々挿通せしめる一対のリード線挿通孔およびリード線挿通孔に連通して外部に開口する異形の一対の開口部を形成したホルダと；光源の点灯回路およびこの点灯回路に各々電気的に接続されて、ホルダの各開口部からリード線挿通孔内に嵌入されたときに各リード線に電気的に接続される異形の一対の端子を形成してなる点灯回路基板と；を具備していることを特徴とする。
【０００９】
この発明によれば、ホルダのリード線挿通孔に連通する一対の開口同士の形状が異形であり、これら開口に嵌入される点灯回路基板の一対の端子同士の形状も、これら開口に適合する異形であるので、これら開口と端子の形状等が適合しなければ、嵌合させることができない。したがって、これら開口と端子の形状等を光源の極性に対応させることにより、光源の極性を誤まって点灯回路基板の端子に電気的に接続するような誤組み付けを防止することができる。
【００１０】
請求項２の発明に係る光源装置は、ホルダの一対の開口部は、その形状が非対称に形成されていることを特徴とする。
【００１１】
この発明によれば、ホルダの一対の開口部は、その形状が非対称であるので、これら開口部形状の目視により、その極性を知ることができる。このために、光源の極性を誤まるような誤組み付けをさらに確実に防止することができる。
【００１２】
請求項３の発明に係る光源装置は、ホルダには、リード線挿通孔に各リード線を接触係止する係止部が形成されていることを特徴とする。
【００１３】
この発明によれば、請求項１または２記載の発明の作用に加えて、光源をホルダの光源挿入孔に挿入した状態で、この光源のリード線を、ホルダのリード線挿通孔に挿通して、その係止部に接触させた状態で係止させることにより、光源をホルダの光源挿入孔内で固定することができる。
【００１４】
したがって、このような光源の固定後に、光源を接着剤によりホルダに固定する場合でも、その接着剤の乾燥固化の前に光源が傾いたり、ずれたりするのを防止することができる。
【００１５】
請求項４の発明に係る表示装置は、請求項１ないし３のいずれか一記載の光源装置と；光源装置により照明される表示部と；光源装置および表示部を収容する装置本体と；を具備していることを特徴とする。
【００１６】
この発明によれば、請求項１ないし３のいずれか一記載の光源装置を有するので、これら光源装置とほぼ同様の作用効果を奏する。
【００１７】
【発明の実施の形態】
以下、本発明の実施形態を図１〜図３に基づいて説明する。
【００１８】
図１は本発明の第１の実施形態に係る光源装置１の分解斜視図、図２は図１の縦断面図である。この光源装置１は、弾性を有する電気絶縁材料の例えば合成樹脂等からなる横長角柱状のホルダ２のほぼ中央部上に、円筒状のカラー３を同心状に立設し、このカラー３内とその下端から所定深さまでに、極性を有する、例えばＬＥＤ（発光ダイオード）４を挿入するためのランプ挿入孔３ａを一体に連成している。
【００１９】
図２に示すように、ホルダ２は、ランプ挿入孔３ａの下底面より下方にて、ＬＥＤ４の左右一対のリード線５ａ，５ｂを挿通せしめる角孔または丸孔よりなる左右一対の中央部リード線挿通孔６ａ，６ｂを垂直方向下方に穿設している。
【００２０】
また、ホルダ２には、これら中央部リード線挿通孔６ａ，６ｂの各外側方にて、左右一対のリード線５ａ，５ｂの先端部を挿通せしめる角孔の左右一対の側部リード線挿通孔７，８をホルダ２の板厚方向に貫通するように穿設している。
【００２１】
これら左右一対の側部リード線挿通孔７，８はホルダ２の板厚方向に貫通してホルダ２の上下両面にて各々開口して各々上下一対の角形の開口部７ａと７ｂ、８ａと８ｂをそれぞれ形成している。
【００２２】
これら左右の開口部７ａと８ａ、７ｂと８ｂの形状どうしは左右非対称等の異形に形成されている。例えば図１、図２中右側の上下一対の開口部８ａと８ｂは左側の開口部７ａと７ｂよりも角孔の短手方向長さが長くなるように形成されている。
【００２３】
そして、ホルダ２の裏面側、すなわち図１、図２中下面側の底部には、左右一対の側部リード線挿通孔７ｂ，８ｂの下端部どうしを、ホルダ２の長手方向に沿って連通せしめて、下面に開口する底部開口９を形成している。
【００２４】
また、図２に示すように左右一対の中央部リード線挿通孔６ａ，６ｂの図中下部にはＬＥＤ４の一対のリード線５ａ，５ｂを係脱自在に係止する左右一対の係止部１０，１１をそれぞれ形成している。
【００２５】
図３に示すように、これら各係止部１０，１１は各中央部リード線挿通孔６ａ，６ｂ内に、リード線５ａ，５ｂのほぼ直径に相当する間隙を置いて左右方向で対向する左右一対の例えば円柱状の係止突部１０ａと１０ｂ，１１ａと１１ｂの複数対をそれぞれ突設している。これら各係止突部１０ａ，１０ｂ，１１ａ，１１ｂの先端部は外方に突の半球面に形成されている。
【００２６】
このために、各リード線５ａ，５ｂを、直径方向に若干移動させてこれら各対の係止突部１０ａと１０ｂ，１１ａと１１ｂどうし間の間隙内に、弾性的に圧入し、あるいは出させることにより、各リード線５ａ，５ｂを各対の係止突部１０ａと１０ｂ、１１ａと１１ｂとにより弾性的に挟持し、あるいはその挟持を解除させてフリーにすることができる。
【００２７】
したがって、ＬＥＤ４をカラー４内のランプ挿入孔３ａ内に挿入し、ＬＥＤ４の各リード線５ａ，５ｂを左右一対の中央部リード線挿通孔６ａ，６ｂ内に挿通させて底部開口９から外方へ引き出し、これらリード線５ａ，５ｂを各係止突部１０ａと１０ｂ、１１ａと１１ｂ間の間隙に圧入することにより各リード線５ａ，５ｂを固定することができる。この後、さらにリード線５ａ，５ｂを外側方へほぼ直角に曲げて底部開口９内を通してから左右一対の側部リード線挿通孔７，８にそれぞれ挿通する。これによりＬＥＤ４をランプ挿通孔３ａ内に固定することができる。
【００２８】
そして、プリント基板等の点灯回路基板１２はその長方形板状の基板本体１２ａ内に、ＬＥＤ４を点灯させるための図示しない点灯回路をプリント等により形成し、この点灯回路に電気的に接続された左右一対の端子板１３ａ，１３ｂを、ホルダ２の左右一対の側部リード線挿通孔７，８どうし間の間隙と同一の間隔ｌ１をおいて、基板本体１２の図中上面上に立設している。
【００２９】
これら一対の端子板１３ａ，１３ｂどうしは、その形状が非対称の異形に形成され、図中左側の端子板１３ａは左側の側部リード線挿通孔７内に、その上、下面開口７ａ，７ｂから各々嵌入し得る形状に形成されている。また、図中右側の端子板１３ｂは右側の側部リード線挿通孔８内に、その上、下面開口８ａ，８ｂから各々嵌入し得る形状に形成されている。すなわち、右側の端子板１３ｂは左側の端子板１３ａよりも厚い矩形板に形成されており、これら両端子板１３ａ，１３ｂの先端部の角部は面取りされて、各開口７ａ，７ｂ，８ａ，８ｂへそれぞれ挿入し易く形成されている。
【００３０】
したがって、図２に示すように点灯回路基板１２をホルダ２の下底面に押し当てて、その左右一対の端子板１３ａ，１３ｂを、ホルダ２の各側部リード線挿通孔７，８内に、その下面開口７ｂ，８ｂから挿入すると、既にこれら側部リード線挿通孔７，８内に挿通されている各リード線５ａ，５ｂの先端部が各端子板１３ａ，１３ｂの一側面に密着した状態で嵌合されて弾性的に堅く固定され、同時に各リード線５ａ，５ｂが各端子板１３ａ，１３ｂに電気的に接続される。
【００３１】
また、各側部リード線挿通孔７，８内における各リード線５ａ，５ｂの導入方向は、端子板１３ａ，１３ｂの挿入方向Ａと一致しているため、挿入孔７，８内のリード線５ａ，５ｂが押し戻されることなく端子板１３ａ，１３ｂを各挿入孔７，８内へ挿入することができる。さらに、端子板１３ａ，１３ｂを引き抜く際には、各リード線５ａ，５ｂの先端部が引掛るから、リード線５ａ，５ｂを容易に引き抜くことができる。
【００３２】
そして、このようにホルダ２に点灯回路基板１２を取着した光源装置１は、端子板１３ａ，１３ｂから給電されてＬＥＤ４が発光し、図示しない車載用メータ等の被照射面を照明することができる。すなわち、この光源装置１と車載用メータ等の表示部とを図示しない筺体内に配設することにより、光源装置１により車載用メータ等の表示部を照明する表示装置に構成することができる。
【００３３】
しかも、左右一対の側部リード線挿通孔７，８の各下面開口７ｂと８ｂどうしの形状が互いに非対称の異形であり、これに対応して点灯回路基板１２の左右の端子板１３ａ，１３ｂどうしの形状も互いに非対称の異形であるので、これら端子板１３ａ，１３ｂの左右を間違えて各開口７ｂ，８ｂ内に挿入することができない。このために、ＬＥＤ４の極性を間違えて各リード線５ａ，５ｂを端子板１３ａ，１３ｂに電気的に接続するのを防止することができる。つまり、ホルダ２に点灯回路基板１２の極性を間違えて組み付ける誤組み付けを防止することができる。
【００３４】
また、左右の端子板１３ａ，１３ｂどうしの形状が同形でなく、異形であるので、その形状の相違を目視することにより、その極性を明確に確認することができる。その結果、ホルダ２への点灯回路基板１２の組み付けを迅速に行なうことができる。
【００３５】
さらに、ＬＥＤ４をホルダ２のランプ挿入孔３ａに挿入し、ＬＥＤ４のリード線５ａ，５ｂをホルダ２の中央部リード線挿通孔６ａ，６ｂに挿通して、その係止突部１０ａと１０ｂ、１１ａと１１ｂにそれぞれ係止させることにより、ＬＥＤ４をホルダ２のランプ挿入孔３ａ内で固定することができる。
【００３６】
また、この係止突部１０ａ，１０ｂ，１１ａ，１１ｂによるリード線５ａ，５ｂの係止は係脱自在であるので、リード線５ａ，５ｂの係止状態を適宜解除させて、ＬＥＤ４を固定させる位置を適宜調節することにより、その位置精度を向上させることができる。
【００３７】
したがって、このようなＬＥＤ４の固定後に、接着剤によりホルダ２に固定する場合でも、その接着剤の乾燥固化の前にＬＥＤ４が傾いたり、ずれたりするのを防止することができる。
【００３８】
また、これら係止部１０，１１が、リード線５ａ，５ｂの外面をその直径方向両側から係脱自在に挟持する突部１０ａ，１０ｂ，１１ａ，１１ｂであるので、リード線５ａ，５ｂをこの係止突部１０ａ，１０ｂ，１１ａ，１１ｂの挟持方向に直交する方向に往復動させることにより、リード線５ａ，５ｂを係止突部１０ａ，１０ｂ，１１ａ，１１ｂに容易かつ迅速に係脱させることができる。
【００３９】
なお、図２の一点鎖線で示すように、ホルダ２の表面側（図２では上面側）から接触端子板１３ａ，１３ｂを挿入してもよく、その場合には、点灯回路基板１２の中央部にＬＥＤ４の頭部とカラー４とを挿通せしめるランプ挿通孔１４を穿設し、ＬＥＤ４の頭部等がランプ挿通孔１４から外方へ突出できるように構成する必要がある。
【００４０】
しかもホルダ２の裏面側の底部開口９がそのままリード線５ａ，５ｂの取り出し口となるためリード線５ａ，５ｂの取り出しが容易であるなど組立て作業をすこぶる簡略化することができる。
【００４１】
さらに、端子板１３ａ，１３ｂをホルダ２の表裏いずれの方向から挿入してもよいので、車載用メータ等の図示しない器具内の点灯回路基板１２の取付位置に応じて光源装置１の装着方向を適宜選択することができる。したがって、表示装置等の狭いスペース内にこれら光源装置１を装着する必要のある場合は特に効果的である。
【００４２】
【発明の効果】
以上説明したように本願の請求項１の発明によれば、ホルダのリード線挿通孔に連通する一対の開口同士の形状が異形であり、これら開口に嵌入される点灯回路基板の一対の端子同士の形状も、これら開口に適合する異形であるので、これら開口と端子の形状等が適合しなければ、嵌合させることができない。したがって、これら開口と端子の形状等を光源の極性に対応させることにより、光源の極性を誤まって点灯回路基板の端子に電気的に接続するような誤組み付けを防止することができる。
【００４３】
請求項２の発明に係る光源装置によれば、ホルダの一対の開口部は、その形状が非対称であるので、これら開口部形状の目視により、その極性を知ることができる。このために、光源の極性を誤まるような誤組み付けをさらに確実に防止することができる。
【００４４】
請求項３の発明に係る光源装置によれば、請求項１または２記載の発明の作用に加えて、光源をホルダの光源挿入孔に挿入した状態で、この光源のリード線を、ホルダのリード線挿通孔に挿通して、その係止部に接触させた状態で係止させることにより、光源をホルダの光源挿入孔内で固定することができる。
【００４５】
したがって、このような光源の固定後に、光源を接着剤によりホルダに固定する場合でも、その接着剤の乾燥固化の前に光源が傾いたり、ずれたりするのを防止することができる。
【００４６】
請求項４の発明に係る表示装置によれば、請求項１ないし３のいずれか一記載の光源装置を有するので、これら光源装置とほぼ同様の作用効果を奏する。
【図面の簡単な説明】
【図１】本発明の第１の実施形態に係る光源装置の分解斜視図。
【図２】図１の縦断面図。
【図３】図２の部分拡大図。
【符号の説明】
１  光源装置
２  ホルダー
３  カラー
３ａ  ランプ挿通孔
４  ＬＥＤ
５ａ，５ｂ  一対のリード線
６ａ，６ｂ  中央部リード線挿通孔
７，８  側部リード線挿通孔
７ａ，７ｂ  側部リード線挿通孔の上下一対の開口
８ａ，８ｂ  側部リード線挿通孔の上下一対の開口
９  底部開口
１２  点灯回路基板
１３ａ，１３ｂ  一対の端子板
【図１】
0003971825.tif 000002
【図２】
0003971825.tif 000003
【図３】
0003971825.tif 000004